(57)【要約】【課題】サイズが増大することを抑制し、複数の映像信号を伝送可能とする画像表示装置を提供する。【解決手段】第１の画像に係る第１の映像信号が入力される画像入力部と、第２の画像に係る第２の映像信号が入力される画像入力部と、入力された第１の映像信号及び第２の映像信号を受けて、第１の映像信号におけるブランキング期間に、第２の映像信号における対応するフレームの映像有効期間の映像信号を挿入して送信する高速伝送バス送信部と、高速伝送バス送信部から送信された信号を受信し、受信した信号から第１の映像信号及び第２の映像信号を抽出し、抽出した第１の映像信号及び第２の映像信号に基づいて第１の画像及び第２の画像を表示させる処理部を有する。【選択図】図１
2020101672.tif 000002
【特許請求の範囲】
【請求項１】
第１の画像に係る第１の映像信号が入力される第１の入力手段と、
第２の画像に係る第２の映像信号が入力される第２の入力手段と、
前記第１の入力手段に入力された前記第１の映像信号及び前記第２の入力手段に入力された前記第２の映像信号を受けて、前記第１の映像信号におけるブランキング期間に、前記第２の映像信号における対応するフレームの映像有効期間の映像信号を挿入して送信する送信手段と、
前記送信手段から送信された信号を受信し、受信した信号から前記第１の映像信号及び前記第２の映像信号を抽出し、抽出した前記第１の映像信号及び前記第２の映像信号に基づいて前記第１の画像及び前記第２の画像を表示させる処理手段とを有することを特徴とする画像表示装置。
【請求項２】
前記送信手段は、前記第１の映像信号についての伝送レートを変更し、伝送レートの変更後のブランキング期間に前記第２の映像信号における映像有効期間の映像信号を挿入することを特徴とする請求項１記載の画像表示装置。
【請求項３】
前記第１の映像信号は可視光画像に係る映像信号であり、前記第２の映像信号は不可視光画像に係る映像信号であることを特徴とする請求項１又は２記載の画像表示装置。
【請求項４】
前記処理手段は、前記送信手段から送信された信号を受信して、受信した信号から前記第１の映像信号及び前記第２の映像信号を抽出し出力する受信手段を有することを特徴とする請求項１〜３の何れか１項に記載の画像表示装置。
【請求項５】
前記送信手段は、前記第１の映像信号及び前記第２の映像信号をそれぞれ２相化し、２相化した各相の映像信号を並列に送信することを特徴とする請求項１〜４の何れか１項に記載の画像表示装置。
【請求項６】
画像を投影表示する投影手段と、
抽出される前記第１の映像信号及び前記第２の映像信号に基づいて、前記第１の画像及び前記第２の画像を表示させるよう前記投影手段を制御する制御手段とを有することを特徴とする請求項１〜５の何れか１項に記載の画像表示装置。
【請求項７】
前記第１の入力手段、前記第２の入力手段、及び前記送信手段が第１の基板に実装され、
前記処理手段が、前記第１の基板とは異なる第２の基板に実装されていることを特徴とする請求項１〜６の何れか１項に記載の画像表示装置。
【請求項８】
第１の画像に係る第１の映像信号が第１の入力手段に入力される第１の入力工程と、
第２の画像に係る第２の映像信号が第２の入力手段に入力される第２の入力工程と、
前記第１の入力手段に入力された前記第１の映像信号及び前記第２の入力手段に入力された前記第２の映像信号を受けて、前記第１の映像信号におけるブランキング期間に、前記第２の映像信号における対応するフレームの映像有効期間の映像信号を挿入して送信する送信工程と、
前記送信工程で送信された信号を受信し、受信した信号から前記第１の映像信号及び前記第２の映像信号を抽出し、抽出した前記第１の映像信号及び前記第２の映像信号に基づいて前記第１の画像及び前記第２の画像を表示させる処理工程とを有することを特徴とする画像表示装置の制御方法。
【請求項９】
第１の画像に係る第１の映像信号が第１の入力手段に入力され、第２の画像に係る第２の映像信号が第２の入力手段に入力される画像表示装置のコンピュータに、
前記第１の入力手段に入力された前記第１の映像信号及び前記第２の入力手段に入力された前記第２の映像信号を受けて、前記第１の映像信号におけるブランキング期間に、前記第２の映像信号における対応するフレームの映像有効期間の映像信号を挿入して送信する送信ステップと、
前記送信ステップで送信された信号を受信し、受信した信号から前記第１の映像信号及び前記第２の映像信号を抽出し、抽出した前記第１の映像信号及び前記第２の映像信号に基づいて前記第１の画像及び前記第２の画像を表示させる処理ステップとを実行させるためのプログラム。
【発明の詳細な説明】
【技術分野】
【０００１】
本発明は、画像表示装置、画像表示装置の制御方法、及びプログラムに関する。
【背景技術】
【０００２】
夜間においてＮＶＧ（Night Vision Goggle）等の暗視装置を装着した状態で行動する場合の訓練用シミュレータとして、暗視装置により得られる画像を模擬的に生成し赤外光光源を使用して投影表示を行う画像表示装置が用いられてきた。昼間環境での訓練と夜間環境での訓練をシームレスに行うために、昼間の画像に相当する可視光画像を投影する画像表示装置と、夜間の画像に相当する赤外画像等の不可視光画像を投影する画像表示装置との２つを用いてシステムを構築するのが一般的であった。しかし、２つの画像表示装置を用いると、コストの増加や、投影される画像の空間配置及び各装置に送られる信号の時間配置に係る制御が発生したりするなどの問題が生じる。この問題を解決する１つの方法として、１つの画像表示装置の同一の光学系を用いて可視光画像及び不可視光画像を表示する技術が提案されている（例えば、特許文献１）。
【先行技術文献】
【特許文献】
【０００３】
【特許文献１】特表２０１３−５２４６６２号公報
【発明の概要】
【発明が解決しようとする課題】
【０００４】
ここで、画像表示装置の内部の基板構成として、映像信号を受信する入力インターフェース（ＩＦ）部と、画像処理や投影制御を行う処理部とが、異なる基板に実装される場合を考える。このような基板構成を採用することにより、映像信号の信号源と画像表示装置との間の信号伝送ＩＦの種類を変更したい場合には、入力ＩＦ部が実装される基板を変更するだけで実現可能であり、ユーザの信号伝送ＩＦの選択の自由度を高めることができる。しかし、一方で、可視光画像に係る映像信号と不可視光画像に係る映像信号とをそれぞれ入力ＩＦ部で受信して処理部に伝送する場合、２つの映像を基板間で伝送するために単純に２つの伝送バスを実装すると実装面積が大きくなるという課題がある。
【０００５】
そこで、本発明は、サイズが増大することを抑制し、複数の映像信号を伝送可能とする画像表示装置を提供することを目的とする。
【課題を解決するための手段】
【０００６】
本発明に係る画像表示装置は、第１の画像に係る第１の映像信号が入力される第１の入力手段と、第２の画像に係る第２の映像信号が入力される第２の入力手段と、前記第１の入力手段に入力された前記第１の映像信号及び前記第２の入力手段に入力された前記第２の映像信号を受けて、前記第１の映像信号におけるブランキング期間に、前記第２の映像信号における対応するフレームの映像有効期間の映像信号を挿入して送信する送信手段と、前記送信手段から送信された信号を受信し、受信した信号から前記第１の映像信号及び前記第２の映像信号を抽出し、抽出した前記第１の映像信号及び前記第２の映像信号に基づいて前記第１の画像及び前記第２の画像を表示させる処理手段とを有することを特徴とする。
【発明の効果】
【０００７】
本発明によれば、複数の映像信号を伝送することが可能となり、かつ画像表示装置のサイズが増大することを抑制することができる。
【図面の簡単な説明】
【０００８】
【図１】本実施形態における液晶プロジェクタの構成例を示す図である。
【図２】本実施形態における液晶プロジェクタの動作例を示すフローチャートである。
【図３】本実施形態における画像処理部の構成例を示す図である。
【図４】本実施形態における高速伝送バス送信部の処理例を説明する図である。
【図５】本実施形態における高速伝送バス受信部の処理例を説明する図である。
【図６】本実施形態における高速伝送バス送信部の処理例を説明する図である。
【図７】本実施形態における高速伝送バス送信部の処理例を説明する図である。
【図８】本実施形態における高速伝送バス送信部の処理例を説明する図である。
【図９】本実施形態における高速伝送バス受信部の処理例を説明する図である。
【図１０】本実施形態におけるＤＬＰプロジェクタの構成例を示す図である。
【発明を実施するための形態】
【０００９】
本発明の実施形態を図面に基づいて説明する。
【００１０】
以下では、本発明の実施形態における画像表示装置として、液晶プロジェクタを一例に説明する。しかし、本発明は、液晶プロジェクタに限らず、液晶素子を用いた他の画像表示装置、例えば液晶テレビ、液晶モニタ、液晶表示部を有する電子機器等にも適用可能である。また、液晶プロジェクタには、単板式、３板式等があるが、いずれの方式であっても良い。
【００１１】
図１は、本実施形態における画像表示装置としての液晶プロジェクタの構成例を示すブロック図である。本実施形態における液晶プロジェクタは、表示する画像に応じて液晶素子の光の透過率を制御して、液晶素子を透過した光源からの光をスクリーン等に投影することで、画像をユーザに提示する。本実施形態における液晶プロジェクタは、画像処理や投影制御等の各種処理を行う処理部１００と、信号源等からの映像信号を受信する入力インターフェース（ＩＦ）部１４０とを有する。処理部１００及び入力ＩＦ部１４０は、例えば異なる基板に実装されており、処理部１００が実装された基板と入力ＩＦ部１４０が実装された基板とは内部ケーブル１５０で接続されている。
【００１２】
処理部１００は、ＣＰＵ（Central Processing Unit）１０１、ＲＯＭ（Read Only Memory）１０２、ＲＡＭ（Random Access Memory）１０３、及び操作部１０４を有する。処理部１００は、画像処理部１０５、液晶制御部１０６、及び液晶素子１０７Ｒ、１０７Ｇ、１０７Ｂ、１０７ＩＲを有する。また、処理部１００は、光源制御部１０８、可視光光源１０９、不可視光光源１１０、色分離部１１１、色合成部１１２、光学系制御部１１３、投影光学系１１４、及び高速伝送バス受信部１１５を有する。処理部１００は、さらに通信部１１６、表示制御部１１７、及び表示部１１８を有していてもよい。ＣＰＵ１０１、ＲＯＭ１０２、ＲＡＭ１０３、操作部１０４、画像処理部１０５、液晶制御部１０６、光源制御部１０８、光学系制御部１１３、高速伝送バス受信部１１５、通信部１１６、及び表示制御部１１７は、内部バス１１９を介して通信可能に接続される。
【００１３】
また、入力ＩＦ部１４０は、画像入力部１４１、１４２、及び高速伝送バス送信部１４３を有する。入力ＩＦ部１４０は、画像入力部１４１又は１４２、あるいは１４１及び１４２の両方で受信した映像信号を高速伝送バス送信部１４３にて高速伝送方式に変換し、内部ケーブル１５０を介して処理部１００の高速伝送バス受信部１１５へ送信する。本実施形態では、高速伝送方式としてＬＶＤＳ（Low Voltage Differential Signaling）を用いるものとする。なお、これに限らず、高速伝送方式としてＴＭＤＳ（Transition Minimized Differential Signaling）やＤｉｓｐｌａｙＰｏｒｔ（登録商標）等を用いても良い。
【００１４】
まず、処理部１００内の各機能部について説明する。ＣＰＵ１０１は、処理部１００が有する各機能部を制御する。また、ＣＰＵ１０１は、通信部１１６により受信したデータ等を一時的に記憶してＲＯＭ１０２に保存する。また、ＣＰＵ１０１は、操作部１０４や通信部１１６から入力された制御信号を受信して、処理部１００の各機能部を制御する。ＲＯＭ１０２は、ＣＰＵ１１０の処理手順を記述した制御プログラム等を記憶するメモリであり、ＲＡＭ１１２は、ワークメモリとして一時的に制御プログラムやデータ等を格納するメモリである。
【００１５】
操作部１０４は、例えば、スイッチやダイヤル、表示部１１８上に設けられたタッチパネル等からなり、ユーザの指示を受け付けてＣＰＵ１０１に制御信号を送信する。また、操作部１０４は、例えば、リモコンからの信号を受信する機能を有し、受信した信号に基づいて所定の制御信号をＣＰＵ１０１に送信するものであってもよい。
【００１６】
画像処理部１０５は、高速伝送バス受信部１１５が受信した映像信号に、フレーム数、画素数、画像形状等の変更処理を施して、液晶制御部１０６に送信する。画像処理部１０５は、例えばフレーム間引き処理、フレーム補間処理、解像度変換処理、画像合成処理、幾何学補正処理（キーストン補正処理、曲面補正）、パネル補正といった処理を実行することが可能である。また、画像処理部１０５は、入力ＩＦ部１４０の画像入力部１４１、１４２で受信した映像信号以外にも、ＣＰＵ１０１によって再生された映像に対して変更処理を施すことも可能である。画像処理部１０５は、例えば画像処理用のマイクロプロセッサや論理回路を有するＡＳＩＣからなる。ただし、画像処理部１０５は、専用のマイクロプロセッサやＡＳＩＣである必要はなく、例えば、ＲＯＭ１０２に記憶されたプログラムによって、ＣＰＵ１０１が画像処理部１０５と同様の処理を実行しても良い。
【００１７】
液晶制御部１０６は、画像処理部１０５で処理が施された映像信号に基づいて、液晶素子１０７Ｒ、１０７Ｇ、１０７Ｂ、１０７ＩＲの画素の液晶に印加する電圧を制御して、液晶素子１０７Ｒ、１０７Ｇ、１０７Ｂ、１０７ＩＲにおける光の透過率を制御する。例えば、液晶制御部１０６は、画像処理部１０５から１フレームの画像を受信する度に、画像に対応する透過率で光が透過されるように、液晶素子１０７Ｒ、１０７Ｇ、１０７Ｂ、１０７ＩＲをそれぞれ制御する。液晶制御部１０６は、例えば制御用のマイクロプロセッサからなる。ただし、液晶制御部１０６は、専用のマイクロプロセッサである必要はなく、例えば、ＲＯＭ１０２に記憶されたプログラムによって、ＣＰＵ１０１が液晶制御部１０６と同様の処理を実行しても良い。
【００１８】
液晶素子１０７Ｒ、１０７Ｇ、１０７Ｂは、可視光光源１０９から出力されて色分離部１１１により赤色（Ｒ）、緑色（Ｇ）、青色（Ｂ）にそれぞれ分離された光のうち、対応する色の光の透過率を調整するためのものである。液晶素子１０７Ｒは、赤色に対応する液晶素子であり、色分離部１１１で分離された赤色（Ｒ）の光の透過率を調整する。液晶素子１０７Ｇは、緑色に対応する液晶素子であり、色分離部１１１で分離された緑色（Ｇ）の光の透過率を調整する。液晶素子１０７Ｂは、青色に対応する液晶素子であり、色分離部１１１で分離された青色（Ｂ）の光の透過率を調整する。液晶素子１０７ＩＲは、不可視光光源１１０に対応する液晶素子であり、不可視光光源１１０から出力された不可視光の透過率を調整する。
【００１９】
光源制御部１０８は、可視光光源１０９及び不可視光光源１１０のオン／オフ制御や光量の制御を行う。光源制御部１０８は、例えば制御用のマイクロプロセッサからなる。ただし、光源制御部１０８は、専用のマイクロプロセッサである必要はなく、例えば、ＲＯＭ１０２に記憶されたプログラムによって、ＣＰＵ１０１が光源制御部１０８と同様の処理を実行しても良い。
【００２０】
可視光光源１０９は、赤色（Ｒ）成分、緑色（Ｇ）成分、及び青色（Ｂ）成分を含む可視光を出力する光源であり、不図示のスクリーン等に可視光画像を投影するための光を出力する。可視光光源１０９は、例えば、ハロゲンランプ、キセノンランプ、高圧水銀ランプ等である。不可視光光源１１０は、例えば赤外光光源や紫外光光源であり、不図示のスクリーン等に不可視光画像を投影するための光を出力する。本実施形態における以下の説明では、一例として、不可視光光源１１０は赤外光光源であるものとし、液晶素子１０７ＩＲは不可視光光源１１０から出力された赤外光の透過率を調整するものとする。
【００２１】
色分離部１１１は、可視光光源１０９から出力された光を、赤色（Ｒ）、緑色（Ｇ）、及び青色（Ｂ）に分離する。色分離部１１１は、例えば、ダイクロイックミラーやプリズム等からなる。ただし、可視光光源１０９として、各色に対応する光を発光するＬＥＤ（Light Emitting Diode）等を使用する場合には、色分離部１１１は不要である。
【００２２】
色合成部１１２は、液晶素子１０７Ｒ、１０７Ｇ、１０７Ｂ、１０７ＩＲを透過した赤色（Ｒ）、緑色（Ｇ）、青色（Ｂ）、及び赤外光（ＩＲ）の光を合成する。色合成部１１２は、例えば、ダイクロイックミラーやプリズム等からなる。色合成部１１２によって赤色（Ｒ）、緑色（Ｇ）、青色（Ｂ）、及び赤外光（ＩＲ）の各成分が合成された光は、投影光学系１１４に送られる。このとき、液晶素子１０７Ｒ、１０７Ｇ、１０７Ｂ、１０７ＩＲは、画像処理部１０５から入力された画像に対応する光の透過率となるように、液晶制御部１０６により制御されている。そのため、色合成部１１２により合成された光は、投影光学系１１４によりスクリーンに投影されると、画像処理部１０５により処理された映像信号に対応する画像がスクリーン上に表示されることになる。
【００２３】
光学系制御部１１３は、投影光学系１１４を制御する。光学系制御部１１３は、例えば制御用のマイクロプロセッサからなる。ただし、光学系制御部１１３は、専用のマイクロプロセッサである必要はなく、例えば、ＲＯＭ１０２に記憶されたプログラムによって、ＣＰＵ１０１が光学系制御部１１３と同様の処理を実行しても良い。投影光学系１１４は、色合成部１１２から出力された合成光をスクリーンに投影するためのものであり、複数のレンズ、及びレンズ駆動用のアクチュエータからなる。投影光学系１１４では、レンズをアクチュエータにより駆動することで、投影画像の拡大、縮小、焦点調整等を行うことができる。
【００２４】
高速伝送バス受信部１１５は、入力ＩＦ部１４０の高速伝送バス送信部１４３から内部ケーブル１５０を介して高速伝送方式で伝送された映像信号を受信し、内部バス１１９に伝送する。高速伝送バス受信部１１５は、受信手段の一例である。本実施形態では、高速伝送バス受信部１１５は、内部バス１１９へ映像信号を伝送する際、高速伝送バス送信部１４３で変換する前の伝送方式に再度変換するが、高速伝送方式のまま内部バス１１９に伝送するようにしても良い。
【００２５】
通信部１１６は、外部装置からの制御信号やデータ等を受信するためのものである。通信部１１６と外部装置との通信態様は、例えば、無線ＬＡＮ（Local Area Network）、有線ＬＡＮ、ＵＳＢ（Universal Serial Bus）、Ｂｌｕｅｔｏｏｔｈ（登録商標）等であってよく、通信方式は特に限定されない。ここで、外部装置は、液晶プロジェクタと通信を行うことができるものであれば、パーソナルコンピュータ、カメラ、携帯電話、スマートフォン、ハードディスクレコーダ、ゲーム機、リモコン等、どのようなものであってもよい。
【００２６】
表示制御部１１７は、処理部１００が有する表示部１１８に液晶プロジェクタを操作するための操作画面やスイッチアイコン等の画像を表示させるための制御を行う。表示制御部１１７は、例えば表示制御を行うマイクロプロセッサ等からなる。ただし、表示制御部１１７は、専用のマイクロプロセッサである必要はなく、例えば、ＲＯＭ１０２に記憶されたプログラムによって、ＣＰＵ１０１が表示制御部１１７と同様の処理を実行しても良い。
【００２７】
表示部１１７は、表示制御部１１７による制御に従って、液晶プロジェクタを操作するための操作画面やスイッチアイコン等を表示する。表示部１１７は、画像を表示できればどのようなものであっても良く、例えば、液晶ディスプレイ、ＣＲＴディスプレイ、有機ＥＬディスプレイ、ＬＥＤディスプレイである。また、表示部１１７は、特定のボタンをユーザに認識可能に掲示するために、各ボタンに対応するＬＥＤ等を発光させるものであってもよい。
【００２８】
内部バス１１９は、処理部１００内部で映像データや各種制御信号等を伝送するためのバスであり、図１に示すように各機能部と接続している。なお、内部バス１１９は、内部ケーブル１５０を介して画像入力部１４１、１４２、及び高速伝送バス送信部１４３とも接続している。
【００２９】
次に、入力ＩＦ部１４０内の各機能部について説明する。画像入力部１４１、１４２は、信号源である図示しない外部装置から映像信号を受信し、受信した映像信号を高速伝送バス送信部１４３に送信する。画像入力部１４１、１４２は、第１の入力手段及び第２の入力手段の一例である。本実施形態では、画像入力部１４１は、赤色（Ｒ）、緑色（Ｇ）、及び青色（Ｂ）で構成される可視光画像に対応する画像入力部とし、図示しない外部装置から可視光画像に係る映像信号を受信するものとする。また、画像入力部１４２は、赤外光（ＩＲ）に代表される不可視光画像に対応する画像入力部とし、図示しない外部装置から不可視光画像に係る映像信号を受信するものとする。
【００３０】
画像入力部１４１、１４２は、例えば、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ（登録商標）端子、ＤｉｓｐｌａｙＰｏｒｔ等を含む。また、画像入力部１４１、１４２は、アナログ映像信号を受信した場合、受信したアナログ映像信号をデジタル映像信号に変換する。なお、画像入力部１４１、１４２に対して映像信号を送信する外部装置は、映像信号を出力できるものであれば、パーソナルコンピュータ、カメラ、携帯電話、スマートフォン、ハードディスクレコーダ、ゲーム機等、どのようなものであってもよい。
【００３１】
本実施形態において、画像入力部１４１、１４２から出力される映像信号は、パラレルのデジタル映像信号として説明する。高速伝送バス送信部１４３は、画像入力部１４１が受信した可視光画像に係る映像信号及び画像入力部１４２が受信した不可視光画像に係る映像信号の伝送方式を変換し、後述する高速伝送方式で映像信号を処理部１００の高速伝送バス受信部１１５に送信する。高速伝送バス送信部１４３は、送信手段の一例である。
【００３２】
次に、動作について説明する。図２は、本実施形態における画像表示装置としての液晶プロジェクタの動作例を示すフローチャートである。図２に示す各処理は、基本的に液晶プロジェクタの処理部１００が有するＣＰＵ１０１が、ＲＯＭ１０２に記憶されたプログラムに基づいて各機能部を制御することにより実行される。本実施形態における液晶プロジェクタは、赤色（Ｒ）、緑色（Ｇ）、及び青色（Ｂ）の可視光からなる映像を表示する「可視光表示モード」と、可視光＋赤外光（ＩＲ）からなる映像を表示する「不可視光表示モード」とを有する。
【００３３】
ステップＳ２０１では、液晶プロジェクタの電源のオンを指示するための操作がユーザにより操作部１０４や不図示のリモコン等に対して行われると、ＣＰＵ１０１は、電源オンの指示を受け付ける。次に、ステップＳ２０２では、ＣＰＵ１０１は、不図示の電源部へ液晶プロジェクタの各部に対する電力供給を指示するとともに、光源制御部１０８へ可視光光源１０９の点灯を指示し、液晶プロジェクタによる可視光表示を開始する。
【００３４】
ステップＳ２０３では、ＣＰＵ１０１は、操作部１１３や不図示のリモコン等に対するユーザの操作により選択された液晶プロジェクタの表示モードが、可視光表示モードであるか否かを判定する。選択された表示モードが可視光表示モードであるとＣＰＵ１０１が判定した場合（ステップＳ２０３でｙｅｓ）、処理はステップＳ２０４に進む。一方、選択された表示モードが可視光表示モードでない、すなわち不可視光表示モードであるとＣＰＵ１０１が判定した場合（ステップＳ２０３でｎｏ）、処理はステップＳ２１１に進む。
【００３５】
＜可視光表示モード＞
以下、可視光表示モードでの動作について説明する。可視光表示モードが選択されたとＣＰＵ１０１が判定した場合に進むステップＳ２０４では、ＣＰＵ１０１は、液晶プロジェクタの表示モードを可視光表示モードとする。続いて、ステップＳ２０５では、ＣＰＵ１０１は、入力ＩＦ部１４０に対して可視光画像が入力されているか否か、すなわち画像入力部１４１が可視光画像に係る映像信号を受信しているか否かを判定する。可視光画像が入力されている、すなわち画像入力部１４１が可視光画像に係る映像信号を受信しているとＣＰＵ１０１が判定した場合（ステップＳ２０５でｙｅｓ）、処理はステップＳ２０６に進む。一方、可視光画像が入力されていない、すなわち画像入力部１４１が可視光画像に係る映像信号を受信していないとＣＰＵ１０１が判定した場合（ステップＳ２０５でｎｏ）、処理はステップＳ２０３に戻る。
【００３６】
ステップＳ２０６では、ＣＰＵ１０１は、投影処理を実行し、入力された映像信号に基づく可視光画像を図示しないスクリーン等に投影表示する。このステップＳ２０６における投影処理では、ＣＰＵ１０１は、画像入力部１４１より入力されたデジタル映像信号を高速伝送バス送信部１４３及び高速伝送バス受信部１１５を介して内部バス１１９に伝送する。内部バスに伝送されたデジタル映像信号は、画像処理部１０５による各種処理が行われた後に投影表示される。例えば、画像処理部１０５は、図３に一例を示すように入力処理部３０１により入力処理（フレーム間引き処理やフレーム補間処理等）を行い、解像度変換部３０２により解像度変換処理を行い、階調変換部３０３により階調変換処理を行う。また、画像処理部１０５は、画像合成部３０４により画像合成処理を行い、幾何学補正部３０５により幾何学補正処理（キーストン補正処理や曲面補正等）を行い、パネル補正部３０６によりパネル補正処理を行う。
【００３７】
その後、ステップＳ２０７へ移行する。ステップＳ２０７では、ＣＰＵ１０１は、入力された映像信号に基づく画像表示を行っている間、操作部１０４や不図示のリモコン等に対するユーザの操作により液晶プロジェクタの電源オフの指示があるか否かを判定する。電源オフの指示があったとＣＰＵ１０１が判定した場合（ステップＳ２０７でｙｅｓ）、処理はステップＳ２０８に進む。一方、電源オフの指示がないとＣＰＵ１０１が判定した場合（ステップＳ２０７でｎｏ）、処理はステップＳ２０３に戻る。ステップＳ２０８では、ＣＰＵ１０１は、電源オフの指示に応じて液晶プロジェクタのシャットダウン処理を行い、動作を終了する。
【００３８】
ここで、ステップＳ２０６における投影処理において、高速伝送バス送信部１４３から高速伝送バス受信部１１５へデジタル映像信号を伝送する際の高速伝送バス送信部１４３及び高速伝送バス受信部１１５の動作について説明する。まず、高速伝送バス送信部１４３が、画像入力部１４１より入力されたデジタル映像信号を高速伝送方式に変換する動作を説明し、次に、高速伝送バス受信部１１５が元のデジタル映像信号へ再変換する動作を説明する。
【００３９】
一例として、画像入力部１４１に入力された可視光画像に係る映像信号が、図４（Ａ）に示す映像信号である場合について説明する。図４（Ａ）に示す映像信号は、解像度が１９２０画素×１２００画素であり、フレームレートが６０Ｈｚの映像信号である。また、ＰｉｘｅｌＣｌｏｃｋ＝１５４ＭＨｚ、Ｈｆｒｅｑ＝７４ｋＨｚ、Ｈｓｗ＝５、Ｈｂｐ＝５、Ｈａｃｔｉｖｅ＝１９２０、Ｈｆｐ＝１５１、Ｈｔｏｔａｌ＝２０８１であるとする。ここで、ＰｉｘｅｌＣｌｏｃｋは画素クロックの周波数を示し、Ｈｆｒｅｑは水平同期信号の周波数を示す。また、Ｈｓｗは水平同期信号のパルス幅であり、Ｈｂｐは水平バックポーチ時間であり、Ｈａｃｔｉｖｅは映像有効期間であり、Ｈｆｐは水平フロントポーチ時間であり、Ｈｔｏｔａｌは一水平期間の全期間であり、それぞれクロックサイクル数で示している。
【００４０】
図４（Ａ）において、入力信号データの０、１、２、・・・、１９１８、１９１９は、水平方向の画素位置を示している。ここで、高速伝送バス送信部１４３と高速伝送バス受信部１１５との間における信号の高速伝送方式はＬＶＤＳとし、伝送する映像信号に並走するクロック（並走Ｃｌｏｃｋ）は１５０ＭＨｚの周波数固定で内部ケーブル１５０内に２相存在しているものとする。この場合、高速伝送バス送信部１４３は、入力映像信号のＰｉｘｅｌＣｌｏｃｋ（１５４ＭＨｚ）からＬＶＤＳの並走Ｃｌｏｃｋ（１５０ＭＨｚ）へ載せ替えるため、入力映像信号を２相化し実質的にＰｉｘｅｌＣｌｏｃｋを１５４ＭＨｚから７７ＭＨｚに落とす。高速伝送バス送信部１４３は、入力映像信号を２相化する際、映像信号を図４（Ｂ）のＥｖｅｎデータ及びＯｄｄデータに示すようにＨｓｗ＝２、Ｈｂｐ＝２の固定とし、映像有効期間（ＤＥ期間）だけの入力信号データを内部メモリに一旦保持する。ここで、水平同期信号の周波数は、クロック載せ替えの前後で変わらず７４ｋＨｚであるので、クロック載せ替え後にはＨｔｏｔａｌ＝２０２７（＝１５０ＭＨｚ／７４ｋＨｚ）となる。また、Ｈｆｐ＝２０２７（Ｈｔｏｔａｌ）−２（Ｈｓｗ）−２（Ｈｂｐ）−９６０（可視光画像データ）＝１０６３となる。そして、高速伝送バス送信部１４３は、このＥｖｅｎデータ及びＯｄｄデータのＬＶＤＳへの変換をそれぞれ独立して行い、内部ケーブル１５０を介して、２相化した入力信号データを並列に高速伝送バス受信部１１５へ伝送する。
【００４１】
高速伝送バス受信部１１５は、内部ケーブル１５０を介して伝送された２相のＬＶＤＳ信号をデジタル映像信号に変換して内部バス１１９に伝送する。まず、高速伝送バス受信部１１５は、受信した２相のＬＶＤＳ信号（Ｅｖｅｎデータ及びＯｄｄデータ、並走Ｃｌｏｃｋが１５０ＭＨｚの周波数固定）を、図５（Ａ）に示すように２相のデジタル映像信号へ変換する。そして、高速伝送バス受信部１１５は、図５（Ｂ）に示すように、伝送されたＥｖｅｎデータ及びＯｄｄデータを矢印で示したように交互に順に選択するようにして並び替え、２相のデジタル映像信号を１相のデジタル映像信号へ変換する。高速伝送バス受信部１１５は、このようにして得られた１相のデジタル映像信号を内部バス１１９に伝送する。なお、図５（Ｂ）において、内部バス１１９において画像伝送に用いるクロック（画像伝送Ｃｌｏｃｋ）の周波数は４００ＭＨｚとしているが、これに限定されるものではなく、例えばＬＶＤＳ信号の並走Ｃｌｏｃｋの周波数の２倍の３００ＭＨｚとしても良い。
【００４２】
以上では、解像度が１９２０画素×１２００画素で、フレームレートが６０Ｈｚの図４（Ａ）に例示した映像信号が入力される場合の例を説明した。以下では、画像入力部１４１に可視光画像に係る映像信号として、図６（Ａ）に示す映像信号が入力される場合について説明する。図６（Ａ）に示す映像信号は、解像度が１０２４画素×７６８画素であり、フレームレートが６０Ｈｚの映像信号である。また、ＰｉｘｅｌＣｌｏｃｋ＝６５ＭＨｚ、Ｈｆｒｅｑ＝４８．３６ｋＨｚ、Ｈｓｗ＝５、Ｈｂｐ＝５、Ｈａｃｔｉｖｅ＝１０２４、Ｈｆｐ＝３１０、Ｈｔｏｔａｌ＝１３４４であるとする。
【００４３】
この場合においても、高速伝送バス送信部１４３は、入力映像信号のＰｉｘｅｌＣｌｏｃｋ（６５ＭＨｚ）からＬＶＤＳの並走Ｃｌｏｃｋ（１５０ＭＨｚ）へ載せ替える際に入力映像信号を２相化する。高速伝送バス送信部１４３は、入力映像信号を２相化する際、映像信号を図６（Ｂ）のＥｖｅｎデータ及びＯｄｄデータに示すようにＨｓｗ＝２及び、Ｈｂｐ＝２とし、映像有効期間（ＤＥ期間）だけの入力信号データをメモリに保持する。このとき、Ｈａｃｔｉｖｅ＝５１２（＝１０２４／２）となり、Ｈｆｐ＝２５８６となる。その後、高速伝送バス送信部１４３は、Ｅｖｅｎデータ及びＯｄｄデータをＬＶＤＳ信号化し、内部ケーブル１５０を介して、２相化した入力信号データを並列に高速伝送バス受信部１１５へ伝送する。以降の高速伝送バス受信部１１５での処理は、前述した例と同様である。
【００４４】
高速伝送方式としてＬＶＤＳを用いる場合、伝送する映像信号に並走するクロックのロック範囲が狭いために、多様なフォーマットの映像信号を受信可能とした場合、受信側のＰＬＬ（Phase Locked Loop）回路の回路規模が増大してしまう。それに対し、本実施形態では、入力される可視光画像に係る映像信号のフォーマットが変わったとしても、高速伝送バス送信部１４３及び高速伝送バス受信部１１５の構成、例えばＰＬＬ回路等を変更する必要がない。したがって、本実施形態では、回路規模が増大することを抑制しつつも多様な映像フォーマットの映像信号を受信することが可能となる。
【００４５】
＜不可視光表示モード＞
次に、不可視光表示モードでの動作について説明する。図２に示したステップＳ２０３において不可視光表示モードが選択されたとＣＰＵ１０１が判定した場合に進むステップＳ２１１では、ＣＰＵ１０１は、液晶プロジェクタの表示モードを不可視光表示モードとする。具体的には、ＣＰＵ１０１は、光源制御部１０８へ不可視光光源１１０の点灯を指示する。
【００４６】
不可視光光源１１０が点灯した後、ステップＳ２１２では、ＣＰＵ１０１は、入力ＩＦ部１４０に対して不可視光画像が入力されているか否か、すなわち画像入力部１４２が不可視光画像に係る映像信号を受信しているか否かを判定する。不可視光画像が入力されている、すなわち画像入力部１４２が不可視光画像に係る映像信号を受信しているとＣＰＵ１０１が判定した場合（ステップＳ２１２でｙｅｓ）、処理はステップＳ２１３に進む。一方、不可視光画像が入力されていない、すなわち画像入力部１４２が不可視光画像に係る映像信号を受信していないとＣＰＵ１０１が判定した場合（ステップＳ２１２でｎｏ）、処理はステップＳ２０３に戻る。
【００４７】
ステップＳ２１３では、ＣＰＵ１０１は、ステップＳ２０６と同様にして投影処理を実行し、入力された映像信号に基づく可視光画像と不可視光画像との２種の画像、又は不可視光画像のみを図示しないスクリーン等に投影表示する。なお、液晶制御部１０６は、可視光画像に係る映像信号を基に液晶素子１０７Ｒ、１０７Ｇ、及び１０７Ｂを制御し、不可視光画像に係る映像信号を基に液晶素子１０７ＩＲを制御する。このステップＳ２１３における投影処理では、ＣＰＵ１０１は、画像入力部１４１及び１４２、又は画像入力部１４２より入力されたデジタル映像信号を高速伝送バス送信部１４３及び高速伝送バス受信部１１５を介して内部バス１１９に伝送する。内部バスに伝送されたデジタル映像信号は、画像処理部１０５による各種処理が行われた後に投影表示される。その後、ステップＳ２０７へ移行する。ステップＳ２０７以降の処理は、前述した可視光表示モードでの処理と同様であるので、説明は省略する。
【００４８】
以下、ステップＳ２１３における投影処理において、高速伝送バス送信部１４３から高速伝送バス受信部１１５へデジタル映像信号を伝送する際の高速伝送バス送信部１４３及び高速伝送バス受信部１１５の動作について説明する。ここでは、可視光に係る映像信号及び不可視光に係る映像信号の両方を高速伝送バス送信部１４３から高速伝送バス受信部１１５へ伝送する例について説明する。まず、高速伝送バス送信部１４３が、画像入力部１４１より入力されたデジタル映像信号を高速伝送方式に変換する動作を説明し、次に、高速伝送バス受信部１１５が元のデジタル映像信号へ再変換する動作を説明する。
【００４９】
一例として、画像入力部１４１に入力された可視光画像に係る映像信号が、前述した図４（Ａ）に示す映像信号であり、画像入力部１４２に入力された不可視光画像に係る映像信号が、図７（Ａ）に示す映像信号であるとする。前述したように、図４（Ａ）に示す可視光画像に係る映像信号は、解像度が１９２０画素×１２００画素であり、フレームレートが６０Ｈｚの映像信号である。また、ＰｉｘｅｌＣｌｏｃｋ＝１５４ＭＨｚ、Ｈｆｒｅｑ＝７４ｋＨｚ、Ｈｓｗ＝５、Ｈｂｐ＝５、Ｈａｃｔｉｖｅ＝１９２０、Ｈｆｐ＝１５１、Ｈｔｏｔａｌ＝２０８１であるとする。図７（Ａ）に示す不可視光画像に係る映像信号は、解像度が１０２４画素×７６８画素であり、フレームレートが６０Ｈｚの映像信号である。また、ＰｉｘｅｌＣｌｏｃｋ＝６５ＭＨｚ、Ｈｆｒｅｑ＝４８．３６ｋＨｚ、Ｈｓｗ＝５、Ｈｂｐ＝５、Ｈａｃｔｉｖｅ＝１０２４、Ｈｆｐ＝３１０、Ｈｔｏｔａｌ＝１３４４であるとする。
【００５０】
図７（Ａ）において、入力信号データの０、１、２、・・・、１０２２、１０２３は、水平方向の画素位置を示している。高速伝送バス送信部１４３は、それぞれの映像信号のＰｉｘｅｌＣｌｏｃｋ（１５４ＭＨｚ、６５ＭＨｚ）からＬＶＤＳの並走Ｃｌｏｃｋ（１５０ＭＨｚ）へ載せ替えるため、可視光画像に係る映像信号及び可視光画像に係る映像信号をそれぞれ２相化する。つまり、高速伝送バス送信部１４３は、可視光画像に係る映像信号のＰｉｘｅｌＣｌｏｃｋを実質的に１５４ＭＨｚから７７ＭＨｚに落とし、不可視光画像に係る映像信号ＰｉｘｅｌＣｌｏｃｋを実質的に６５ＭＨｚから３２．５ＭＨｚ落とす。高速伝送バス送信部１４３は、映像信号を２相化する際、それぞれ図４（Ｂ）及び図７（Ｂ）のＥｖｅｎデータ、Ｏｄｄデータで示すように、映像信号をＨｓｗ＝２、Ｈｂｐ＝２の固定とし、映像有効期間だけの入力信号データをメモリに一旦保持する。
【００５１】
そして、高速伝送バス送信部１４３は、可視光画像に係る入力信号データ及び不可視光画像に係る入力信号データを、例えば図８に示すようなタイミングで高速伝送バス受信部１１５に対して伝送する。図８に示した例では、高速伝送バス送信部１４３は、可視光画像に係る映像信号についての伝送レートを変更し、伝送レートの変更後に生じたブランキング期間に不可視光画像に係る映像有効期間だけの映像信号を挿入して高速伝送バス受信部１１５へ伝送する。ここで、水平同期信号の周波数は、可視光画像に係る映像信号と不可視光画像に係る映像信号の内で周波数が高い方を載せ替え後の水平同期信号の周波数とする。したがって、本例では水平同期信号の周波数は７４ｋＨｚとなるので、クロック載せ替え後にはＨｔｏｔａｌ＝２０２７となる。また、Ｈｆｐ＝２０２７（Ｈｔｏｔａｌ）−２（Ｈｓｗ）−２（Ｈｂｐ）−９６０（可視光画像データ）−５１２（不可視光画像データ）−２（可視光画像と不可視光画像との区切り）＝５４９となる。高速伝送バス送信部１４３は、このＥｖｅｎデータ及びＯｄｄデータのＬＶＤＳへの変換をそれぞれ独立して行い、内部ケーブル１５０を介して、２相化した各相の入力信号データを並列に高速伝送バス受信部１１５へ伝送する。なお、この可視光画像に係る映像信号と不可視光画像に係る映像信号とは、垂直同期信号に同期しかつ、お互いに関連した映像信号である。
【００５２】
高速伝送バス受信部１１５は、内部ケーブル１５０を介して伝送された２相のＬＶＤＳ信号をデジタル映像信号に変換して内部バス１１９に伝送する。まず、高速伝送バス受信部１１５は、受信した２相のＬＶＤＳ信号（Ｅｖｅｎデータ及びＯｄｄデータ、並走Ｃｌｏｃｋが１５０ＭＨｚの周波数固定）を、図９（Ａ）に示すように２相のデジタル映像信号へ変換する。そして、高速伝送バス受信部１１５は、図９（Ｂ）に示すように、伝送されたＥｖｅｎデータとＯｄｄデータを矢印で示したように交互に順に選択するようにして並び替え、２相のデジタル映像信号を１相のデジタル映像信号へ変換する。高速伝送バス受信部１１５は、このようにして受信した信号から抽出した可視光画像に係る１相のデジタル映像信号及び不可視光画像に係る１相のデジタル映像信号を内部バス１１９に伝送する。なお、図９（Ｂ）において、内部バス１１９において画像伝送に用いるクロック（画像伝送Ｃｌｏｃｋ）の周波数は４００ＭＨｚとしているが、これに限定されるものではなく、例えばＬＶＤＳ信号の並走Ｃｌｏｃｋの周波数の２倍の３００ＭＨｚとしても良い。
【００５３】
本実施形態では、可視光画像の解像度を１９２０画素×１２００画素、不可視光画像の解像度を１０２４画素×７６８画素としたが、解像度（画像サイズ）は合致していてもしていなくても良い。映像信号のＥｖｅｎデータとＯｄｄデータへの並び替え時に映像有効期間のデータだけを伝送するように一旦メモリに保持すれば良い。
【００５４】
以上のように、本実施形態における液晶プロジェクタは、可視光画像に係る映像信号と不可視光画像に係る映像信号の２つの映像信号が入力された場合でも、１つの映像信号のみが入力される場合と同じ映像伝送バス幅で２つの映像信号を伝送することができる。したがって、本実施形態によれば、画像表示装置としての液晶プロジェクタのサイズが増大することを抑制しつつ、可視光画像に係る映像信号と不可視光画像に係る映像信号との２つの映像信号を伝送することが可能となる。
【００５５】
また、可視光画像に係る映像信号や不可視画像に係る映像信号のフォーマットが多種多様に変わったとしても、高速伝送バス送信部１４３及び高速伝送バス受信部１１５の構成、例えばＰＬＬ回路等を変更する必要がない。したがって、本実施形態では、回路規模や実装面積が増大することを抑制しつつも多様な映像フォーマットの映像信号を受信することが可能となる。
【００５６】
なお、前述した実施形態では、本実施形態における画像表示装置として、液晶素子を用いた画像表示装置を例に説明したが、これに限定されるものではない。例えば、画像表示装置として、図１０に一例を示すようなＤＭＤ（Digital Mirror Device）等の表示デバイスを用いたＤＬＰ（Digital Light Processing）プロジェクタでも同様の効果が得られる。図１０は、本実施形態における画像表示装置としてのＤＬＰプロジェクタ１０００の構成例を示すブロック図である。
【００５７】
ＤＬＰプロジェクタ１０００は、ＣＰＵ１００１、ＲＯＭ１００２、ＲＡＭ１００３、操作部１００４、画像処理部１００５、光源制御部１００６、可視光光源１００７、不可視光光源１００８、及び色分離部１００９を有する。また、ＤＬＰプロジェクタ１０００は、ＤＭＤ１０１０、ＤＭＤ制御部１０１１、光学系制御部１０１２、投影光学系１０１３、画像入力部１０１４、１０１５、通信部１０１６、表示制御部１０１７、及び表示部１０１８を有する。なお、以下において、ＤＬＰプロジェクタ１０００において、図１における対応する構成要素と同じ機能を有するものについては、その説明を省略する。
【００５８】
ＣＰＵ１００１、ＲＯＭ１００２、ＲＡＭ１００３、操作部１００４、及び画像処理部１００５は、図１に示したＣＰＵ１０１、ＲＯＭ１０２、ＲＡＭ１０３、操作部１０４、及び画像処理部１０５にそれぞれ対応する。また、光源制御部１００６、可視光光源１００７、及び不可視光光源１００８は、図１に示した光源制御部１０８、可視光光源１０９、及び不可視光光源１１０にそれぞれ対応する。
【００５９】
色分離部１００９は、ＤＭＤ制御部１０１１による制御に従って、可視光光源１００７から出力された光を、赤色（Ｒ）、緑色（Ｇ）、及び青色（Ｂ）に分離する。また、色分離部１００９は、分離した赤色（Ｒ）、緑色（Ｇ）、及び青色（Ｂ）の各色の光、及び不可視光光源１００８から出力された光を、ＤＭＤ制御部１０１１による制御に従って所定のタイミングで出力する。ＤＭＤ１０１０は、ＤＭＤ制御部１０１１にオンオフ制御され、赤色（Ｒ）、緑色（Ｇ）、及び青色（Ｂ）の各色の光、及び不可視光の投影光学系への入射量を調整する。ＤＭＤ制御部１０１１は、画像処理部１００５で処理が施された映像信号に基づいて、色分離部１００９及びＤＭＤ１０１１を制御する。
【００６０】
光学系制御部１０１２、投影光学系１０１３、及び画像入力部１０１４、１０１５は、図１に示した光学系制御部１１３、投影光学系１１４、及び画像入力部１４１、１４２にそれぞれ対応する。また、通信部１０１６、表示制御部１０１７、及び表示部１０１８は、図１に示した通信部１１６、表示制御部１１７、及び表示部１１８にそれぞれ対応する。
【００６１】
（その他の実施形態）
本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。この場合、記憶媒体から読み出されたプログラムコード自体が前述した実施形態の機能を実現することになり、プログラムコード自体及びそのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６２】
また、前述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。さらに、記憶媒体から読み出されたプログラムコードが、装置に挿入された機能拡張ボードやコンピュータに接続された機能拡張ユニットに備わるメモリに書き込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【００６３】
なお、前述した実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００６４】
１００：処理部  １０１：ＣＰＵ  １０２：ＲＯＭ  １０３：ＲＡＭ  １０４：操作部  １０５：画像処理部  １０６：液晶制御部  １０７：液晶素子  １０８：光源制御部  １０９：可視光光源  １１０：不可視光光源  １１１：色分離部  １１２：色合成部  １１３：光学系制御部  １１４：投影光学系  １１５：高速伝送バス受信部  １４０：入力インターフェース部  １４１、１４２：画像入力部  １４３：高速伝送バス送信部  １５０：内部ケーブル
【図１】
2020101672.tif 000003
【図２】
2020101672.tif 000004
【図３】
2020101672.tif 000005
【図４】
2020101672.tif 000006
【図５】
2020101672.tif 000007
【図６】
2020101672.tif 000008
【図７】
2020101672.tif 000009
【図８】
2020101672.tif 000010
【図９】
2020101672.tif 000011
【図１０】
2020101672.tif 000012